(57)【要約】【課題】半導体素子の放熱性に優れ、且つ、安価な多層基板及びその製造方法を提供すること。【解決手段】熱可塑性樹脂からなる樹脂フィルム２を介して導体パターン３を積層するとともに、当該積層体の内部に半導体素子７を配置した状態で加熱しつつ加圧することにより形成される多層基板１０であって、積層体の上下両表面に、半導体素子７と絶縁される放熱板９を設けた。このように、本多層基板１０は、一括積層により形成されるとともに、半導体素子７から生じる熱を放熱板９を介して外部へ放熱することができる。従って、半導体素子７の放熱性に優れ、且つ、安価な多層基板１０である。【選択図】        図１
2004158545.tif 000002
【特許請求の範囲】
【請求項１】
熱可塑性樹脂からなる樹脂フィルムの少なくとも片面上に導体パターンを有し、且つ所望の位置に層間接続材料が充填されたビアホールを備える導体パターンフィルムが形成され、この導体パターンフィルムを含む複数の樹脂フィルムを積層するとともに、当該積層体の内部に、前記導体パターンに導電接続されるように半導体素子を配置した多層基板であって、
前記多層基板は、その上下両表面に前記半導体素子と絶縁された放熱板を備えることを特徴とする多層基板。
【請求項２】
前記放熱板は、前記樹脂フィルムの積層方向において、前記半導体素子と重なる位置に配置されることを特徴とする請求項１に記載の多層基板。
【請求項３】
前記樹脂フィルムの平面に沿った方向における前記放熱板の大きさは、前記半導体素子と略同等かそれよりも大きいことを特徴とする請求項２に記載の多層基板。
【請求項４】
前記半導体素子の非電極形成面と前記放熱板との間に、前記樹脂フィルムよりも高熱伝導性の放熱経路を備えることを特徴とする請求項１〜３のいずれか１項に記載の多層基板。
【請求項５】
前記放熱経路は、前記導体パターンフィルムにおける導体パターンと層間接続材料との少なくとも一方によって形成されることを特徴とする請求項４に記載の多層基板。
【請求項６】
前記半導体素子の電極と導電接続される前記導体パターンフィルムを含む一部の前記樹脂フィルムのみが、他の樹脂フィルムの端面よりも前記樹脂フィルムの平面に沿った方向に延伸していることを特徴とする請求項１〜５のいずれか１項に記載の多層基板。
【請求項７】
熱可塑性樹脂からなる樹脂フィルムの少なくとも片面上に導体パターンを形成し、且つ当該樹脂フィルムの所望の位置に層間接続材料が充填されたビアホールを形成する導体パターンフィルム形成工程と、
前記導体パターンフィルムを含む複数の樹脂フィルムを積層する積層工程と、前記積層体の上下両表面に放熱板を配置し、プレス型を用いて加熱しつつ加圧することにより、前記樹脂フィルム及び放熱部材を相互に接着して多層基板を形成する加熱・加圧工程とを備え、
前記積層工程前に、前記放熱板との絶縁が確保できる前記樹脂フィルムの所望の位置に半導体素子の形状に対応した配置領域を形成し、前記積層工程において、当該配置領域に前記半導体素子を配置することを特徴とする多層基板の製造方法。
【発明の詳細な説明】
【０００１】
【発明の属する技術分野】
本発明は、その内部に半導体素子を備える多層基板及びその製造方法に関する。
【０００２】
【従来の技術】
電子機器の小型化・薄型化を実現する半導体素子の実装方法として、ＣＳＰ（Ｃｈｉｐ  Ｓｉｚｅ  Ｐａｃｋａｇｅ）やＦＣ（Ｆｌｉｐ  Ｃｈｉｐ）実装がある。
【０００３】
しかしながら、例えば車両用エンジンのＥＣＵ制御、油圧バルブ制御、ＥＦＩのガソリン噴射弁制御等に用いられるパワーデバイスとして、パワーＭＯＳＦＥＴ、ＩＧＢＴ、ＢＳＩＴ等があるが、これら発熱量の大きな半導体素子においては、上記の実装方法は熱抵抗が高く、接続信頼性の点から採用することが困難であった。
【０００４】
【発明が解決しようとする課題】
そこで、従来技術として、樹脂基板表面に、半導体素子をＦＣ実装し、素子の上面を金属ケースに接触させて放熱する方法がある。しかし、熱抵抗を低減させるための半導体素子表面と金属ケースとの間の接触圧を維持するための調整が難しく、電子機器の設計及び組み立てが複雑になるという問題がある。
【０００５】
また、他の方法として、発熱量の大きな半導体素子のみをセラミック基板表面にＦＣ実装したモジュール基板を準備し、当該モジュール基板を樹脂基板に接続する方法がある。しかしながら、この方法では、半導体素子からの放熱がセラミック基板側の片面のみとなり、両面放熱に比べ、熱抵抗が高くなるという問題がある。さらに、セラミック基板を用いるため、製造コストが増すという問題もある。
【０００６】
本発明は上記問題点に鑑み、半導体素子の放熱性に優れ、且つ、安価な多層基板及びその製造方法を提供することを目的とする。
【０００７】
【課題を解決するための手段】
上記目的を達成する為に請求項１に記載の多層基板は、熱可塑性樹脂からなる樹脂フィルムの少なくとも片面上に導体パターンを有し、所望の位置に層間接続材料が充填されたビアホールを備える導体パターンフィルムが形成され、この導体パターンフィルムを含む複数の樹脂フィルムを積層するとともに、当該積層体の内部に、導体パターンに導電接続されるように半導体素子を配置した多層基板であって、この多層基板の上下両表面に半導体素子と絶縁された放熱板を備えることを特徴とする。
【０００８】
このように、本多層基板は、その内部に半導体素子を内蔵し、その上下両表面に放熱板が配置されている。従って、半導体素子から生じる熱を放熱板を介して外部へ放熱することができるため、放熱性に優れており、安定した状態で半導体素子を継続作動させることができる。また、各部材を積層し一括して加熱・加圧することができるため、製造コストを低減することができる。
【０００９】
また、放熱板は、請求項２に記載のように樹脂フィルムの積層方向において、半導体素子と重なる位置に配置されることが好ましく、さらに請求項３に記載のように、樹脂フィルムの平面に沿った方向の大きさが、半導体素子と略同等かそれよりも大きいことが好ましい。上記のように放熱板が配置されると半導体素子にて生じた熱を放熱板へ効率良く伝えることができ、その大きさが半導体素子と略同等かそれよりも大きいと、さらに効率良く放熱板へ熱を伝達することができる。
【００１０】
請求項４に記載のように、半導体素子の非電極形成面と放熱板との間に、樹脂フィルムよりも高熱伝導性の放熱経路を備えることが好ましい。半導体素子の非電極形成面と放熱板との間に、樹脂フィルムよりも高熱伝導性の放熱経路を備えれば、半導体素子にて発生した熱を、より効率良く放熱板へ伝えることができ好ましい。
【００１１】
具体的には、請求項５に記載のように、放熱経路は導体パターンフィルムにおける導体パターンと層間接続材料との少なくとも一方によって形成されると良い。導体パターンフィルムに形成された導体及び層間接続材料は金属材料からなり、半導体素子にて生じた熱を放熱板へ伝達するのに適している。また、導体パターンフィルムを用いると、新たに製造工程を設ける必要もなく、製造工程の短縮ができるため好ましい。
【００１２】
請求項６に記載のように、半導体素子の電極と導電接続される導体パターンフィルムを含む一部の樹脂フィルムのみが、他の樹脂フィルムの端面よりもその樹脂フィルムの平面に沿った方向に延伸していることが好ましい。このように、半導体素子の電極と電気的に接続される導体パターンフィルムが、他の樹脂フィルムの端面よりもその樹脂フィルムの平面に沿った方向に延伸出していると、外部との接続を行い易く好ましい。また、一部の樹脂フィルムのみが延伸していることから、当該延伸部は柔軟性を有している。従って、フレキシブルに折り曲げることにより他の基板や部品との接続性が向上し、コネクタ等の余分な部品が不要となることから低コスト化・小型化にも適している。
【００１３】
請求項７に記載の多層基板の製造方法は、熱可塑性樹脂からなる樹脂フィルムの少なくとも片面上に導体パターンを形成し、且つ当該樹脂フィルムの所望の位置に層間接続材料が充填されたビアホールを形成する導体パターンフィルム形成工程と、導体パターンフィルムを含む複数の樹脂フィルムを積層する積層工程と、積層体の上下両表面に放熱板を配置し、プレス型を用いて加熱しつつ加圧することにより、樹脂フィルム及び放熱部材を相互に接着して多層基板を形成する加熱・加圧工程とを備え、積層工程前に、放熱板との絶縁が確保できる樹脂フィルムの所望の位置に半導体素子の形状に対応した配置領域を形成し、積層工程において、当該配置領域に半導体素子を配置することを特徴とする。
【００１４】
このように、各部材を積層し一括して加熱・加圧することができるため、製造コストを低減することができる。また、予め半導体素子の形状に応じて、半導体素子の配置領域を形成しておけば、加熱・加圧プレス時に、半導体素子に応力が集中するのを防ぐことができる。
【００１５】
【発明の実施の形態】
以下、本発明の実施の形態を図に基づいて説明する。
（第１の実施の形態）
図１は、本実施の形態における多層基板の製造工程を示す工程別断面図である。
尚、本実施の形態の多層基板は、例えば車載用エンジンのＥＣＵ、ＡＢＳ等の油圧バルブ制御、ＥＦＩのガソリンエンジン噴射弁制御、パワーウインドウのモータ制御等に用いられる回路基板として適用される。
【００１６】
図１（ａ）に示すように、１は樹脂フィルム２の片面に貼着された導体箔をエッチングによりパターン形成した導体パターン３を有する片面導体パターンフィルムである。ここで、樹脂フィルム２としては、例えば熱可塑性樹脂であるポリエーテルエーテルケトン（ＰＥＥＫ）６５〜３５重量％とポリエーテルイミド（ＰＥＩ）３５〜６５重量％とからなる厚さ２５〜１００μｍの樹脂フィルムを用いることができる。また、導体箔としては、例えばＡｕ、Ａｇ、Ｃｕ、Ａｌの少なくとも１種を含む低抵抗金属箔が良く、望ましくは安価でマイグレーションの心配のないＣｕ箔が良い。尚、導体パターン３形成は、導体箔のエッチング以外にも、印刷法を用いて行われても良い。
【００１７】
図１（ａ）の樹脂フィルム２上に導体パターン３を形成する工程が完了すると、次に、図１（ｂ）に示すように、樹脂フィルム２側から例えば炭酸ガスレーザを照射して、導体パターン３を底面とする有底孔であるビアホール４を形成する。ビアホール４の形成には、炭酸ガスレーザ以外にもＵＶ−ＹＡＧレーザやエキシマレーザ等を用いることが可能である。その他にもドリル加工等により機械的にビアホール４を形成することも可能であるが、小径でかつ導体パターン３を傷つけないように加工することが必要とされるため、レーザによる加工法を選択することが好ましい。
【００１８】
ビアホール４の形成が完了すると、図１（ｃ）に示すように、ビアホール４内に層間接続材料である導電性ペースト５を充填する。導電性ペースト５は、Ｃｕ、Ａｇ、Ｓｎ等の金属粒子に有機溶剤を加え、これを混練しペースト化したものである。尚、導電性ペースト５には、その他にも適宜低融点ガラスフリットや有機樹脂、或いは無機フィラーを添加混合しても良い。この、導電性ペースト５は、図示されないスクリーン印刷機やディスペンサ等を用いてビアホール４内に充填される。
【００１９】
また、図１（ｄ）、（ｅ）に示すように、樹脂フィルム２を所定の長さに加工した加工樹脂フィルム２ａと、当該加工樹脂フィルム２ａの所定の位置に貫通孔６を有する加工樹脂フィルム２ｂとを夫々形成する。尚、加工樹脂フィルム２ａ，２ｂの形成は、後述する積層工程までに実施されれば良い。
【００２０】
ここで、加工樹脂フィルム２ａ，２ｂにおいて、所定の長さへの加工、及び、貫通孔６の形成は、片面導体パターンフィルム１のビアホール４の形成同様、例えば炭酸ガスレーザを用いて行われる。また、炭酸ガスレーザ以外にも、ＵＶ−ＹＡＧレーザやエキシマレーザ等のレーザ加工、或いは、ドリル加工等により機械的に形成することも可能である。従って、片面導体パターンフィルム１のビアホール４形成時に、加工樹脂フィルム２ａ，２ｂも併せて形成されると、製造工程を短縮できるため好ましい。
【００２１】
また、後述する積層工程において、２枚の加工樹脂フィルム２ｂを重ねて積層し、貫通孔６を半導体素子の配置領域とすることから、貫通孔６の大きさは、半導体素子とほぼ同じか若干大きめに形成される。この際、半導体素子は必ずしも２枚の加工樹脂フィルム２ｂの配置領域に配置されるとは限らなく、その配置領域は、半導体素子の大きさに対応して、積層方向に必要な層数分に渡って形成される。そして、配置領域も貫通孔６だけから構成されるのではなく、半導体素子の形状に対応し所定の深さをもった溝部から構成されるものであっても良い。また、加工樹脂フィルム２ｂにおける貫通孔６の形成位置は、後述する積層工程において、貫通孔６からなる配置領域に半導体素子を配置した際、半導体素子の電極が片面導体パターンフィルム１の導電性ペースト５と接触できる位置に形成される。
【００２２】
また、加工樹脂フィルム２ａ，２ｂの長さは略同等に形成され、後述する積層工程において半導体素子の電極と導電接続する片面導体パターンフィルム１よりも短い長さに加工される。尚、必ずしも加工樹脂フィルム２ａ，２ｂの長さが略同等でなくても良い。
【００２３】
ビアホール４への導電性ペースト５の充填がされた片面導体パターンフィルム１及び加工樹脂フィルム２ａ，２ｂの形成が完了すると、図１（ｆ）に示すように、片面導体パターンフィルム１を含む複数枚の樹脂フィルムを積層する（本例では、片面導体パターンフィルム１を１枚、片面導体パターンフィルム１と同じ長さの樹脂フィルム２を１枚、加工樹脂フィルム２ａを１枚、加工樹脂フィルム２ｂを２枚の計５枚）。
【００２４】
このとき、加工樹脂フィルム２ｂは、２枚重ねて積層され、当該２枚の加工樹脂フィルム２ｂに形成された貫通孔６からなる配置領域に、半導体素子７が配置される。尚、本実施の形態における半導体素子７としては、例えばパワーＭＯＳＦＥＴやＩＧＢＴ等のパワーデバイスが用いられ、その実装形態としては、本実施の形態に示すＦＣ実装以外にもＣＳＰ実装でも良い。
【００２５】
そして、加工樹脂フィルム２ｂの上層（すなわち、半導体素子７の非電極形成面の直上）には、加工樹脂フィルム２ａが配置される。また、加工樹脂フィルム２ｂの直下には、半導体素子７の電極８と機械的且つ電気的に接続される導電性ペースト５を備えた片面導体パターンフィルム１が配置される。この際、電極８は導電性ペースト５内に浸漬される。従って、半導体素子７は、後述する加熱・加圧工程により、電極８及び導電性ペースト５を介して、導体パターン３と電気的に接続されることとなる。尚、本実施の形態においては、半導体素子７の電極８と導電性ペースト５とを直接接続した。しかしながら、半導体素子７にＡｕやはんだ等の図示されないバンプを形成し、導電性ペースト５が完全に充填されないビアホール４内にそのバンプを配置することで、半導体素子７と片面導体パターンフィルム１の導体パターン３とを接続しても良い。この際、バンプをビアホール４に位置合わせすることができ、半導体素子７の位置合わせが容易となる。又、その際、半導体素子７にバンプを形成せず、導体パターン３上にバンプを形成しておき、当該バンプと半導体素子７の電極８とを接続しても良い。
【００２６】
また、片面導体パターンフィルム１の下層として、樹脂フィルム２が配置される。これは、導体パターン３、すなわち半導体素子７と放熱板との間の絶縁を確保するためのものである。そして、この積層体の積層方向の上下両表面に、半導体素子７の放熱を目的とした放熱板９が配置される。
【００２７】
放熱板９は、例えばＡｌ，Ｃｕ，Ｍｏ等の熱伝導率の高い金属や、Ａｌ−ＳｉＣ，Ｃｕ−Ｗ等の導電性複合材料、ＡｌＮ，ＳｉＣ等の絶縁性セラミックを原料として形成される。放熱板９は、積層体の積層方向において、半導体素子７と重なる位置に配置され、樹脂フィルム２の平面に沿った方向の大きさが、半導体素子７と略同等かそれよりも大きいもの（本実施の形態においては大きいものを使用）を用いている。従って、半導体素子７から放熱板９への熱の伝達が効率良く行われる。
【００２８】
また、図１（ｆ）において、放熱板９は、加工樹脂フィルム２ａ，２ｂと略同等の長さを有しているが、必ずしも加工樹脂フィルム２ａ，２ｂと略同等の長さを有していなくても良い。また、放熱板９は、その全体に渡って加工樹脂フィルム２ａ、樹脂フィルム２と接しているが、放熱板９の放熱性を向上させるために、放熱板９の一部が加工樹脂フィルム２ａ、樹脂フィルム２と接しないように配置しても良い。さらに、放熱板９が非導電性材料からなる場合は、半導体素子７との絶縁を確保する必要が無いので、積層体の最下層として用いる樹脂フィルム２は配置しなくとも良い。また、その代わりに片面導体パターンフィルム１を配置しても良い。
【００２９】
図１（ｆ）に示す積層工程がなされた後、積層体の上下両面から図示されない加熱プレス機のプレス型により加熱しつつ加圧し、多層基板１０を形成する加熱・加圧工程が行われる。本例では、プレス条件として、２５０〜３５０℃の温度に加熱し、１〜１０ＭＰａの圧力で加圧した。尚、プレス型と積層体の表面との間には、導体パターン３の位置ずれを防ぐために、緩衝効果を有する図示されない緩衝部材を設けても良い。さらに、緩衝部材と積層体との間、及び、緩衝部材とプレス型との間に、夫々の間の離型性を良くする目的でポリイミド等の図示されない離型シートを設けて、加熱・加圧工程を行っても良い。尚、加工樹脂フィルム２ａ，２ｂの端面よりも当該加工樹脂フィルム２ａ，２ｂの平面に沿った方向に延伸している片面導体パターンフィルム１及び樹脂フィルム２にもプレス型が当接し、加熱・加圧が行われる。
【００３０】
上述の製造工程を経て、各樹脂フィルム２、加工樹脂フィルム２ａ，２ｂが熱溶着して一体化すると共に、ビアホール４内の導電性ペースト５により隣接する導体パターン３或いは導電性ペースト５との間で層間接続がなされ、図１（ｇ）に示すように多層基板１０が形成される。このとき、半導体素子７もその電極８と導電性ペースト５とが機械的且つ電気的に接続され、半導体素子７は導電性ペースト５を介して、導体パターン３と導電接続される。
【００３１】
以上より、本実施の形態における多層基板１０は、多層基板１０の内部に半導体素子７を内蔵している。そして、その半導体素子７の発する熱を多層基板１０の上下両表面に配置した放熱板９により放熱できるため、パワーデバイス等の発熱量の大きい半導体素子を用いても、ＣＳＰやＦＣの実装形態を確保できる。従って、多層基板１０を小型・薄型化することができ、ひいては電子機器を小型・薄型化することができる。
【００３２】
また、多層基板１０を上記の製造工程により、一括積層し、形成することができるため、発熱量の大きい半導体素子７を備えた多層基板１０を、単純形状で安価に製造することができる。
【００３３】
さらには、本実施の形態における多層基板１０は、延伸部１１を有しており、当該延伸部１１は柔軟性を有していることから、フレキシブルに変形可能であり、ビアホール４に充填された導電性ペースト５を介して他の基板や部品との接続が容易である。従って、コネクタ等の余分な部品を使用する必要がないため、低コスト化及び小型化が可能である。尚、本実施の形態においては、延伸部１１のビアホール４は１箇所のみ形成される例を示したが、これに限定されるものではない。
【００３４】
また、本実施の形態においては、加工樹脂フィルム２ａ，２ｂの長さを、予め、片面導体パターンフィルム１よりも短く加工した後、積層工程を行った。しかしながら、積層前に、除去領域に沿って、除去したい表面から除去領域の最下層まで図示されないスリットを形成しておき、除去領域の最下層と当該最下層と隣接する除去されない層との間に離型フィルムを配置して多層基板１０を形成する。そして、多層基板１０の形成後、予め形成されたスリットを元に、多層基板１０から除去領域及び離型フィルムを削除することで、所望の形状を有する延伸部１１を有する多層基板１０を形成しても良い。
【００３５】
また、放熱板９と接する樹脂フィルム２、及び加工樹脂フィルム２ａの少なくとも一方の積層方向の厚さを、半導体素子７と放熱板９との間の絶縁が確保される範囲で、できる限り薄くすると良い。それにより、半導体素子７から放熱板９への放熱性が向上する。
【００３６】
また、本実施の形態においては、半導体素子７の例として、一方の面に電極８が形成された片面電極の半導体素子７を用いた。しかしながら、半導体素子７と放熱板９との間が、樹脂フィルム２及び加工樹脂フィルム２ａにより絶縁されているので、半導体素子７の上下両面に電極８の形成された両面電極の半導体素子を用いても良い。
【００３７】
（第２の実施の形態）
次に、本発明の第２の実施の形態を図２に基づいて説明する。
【００３８】
第２の実施の形態における多層基板は、第１の実施の形態によるものと共通するところが多いので、以下、共通部分については詳しい説明は省略し、異なる部分を重点的に説明する。
【００３９】
第２の実施の形態において、第１の実施の形態と異なる点は、半導体素子７の非電極形成面と放熱板９との間に、樹脂フィルム２ａよりも高熱伝導性の放熱経路を有する加工片面導体パターンフィルム１ａを配置した点である。
【００４０】
先ず、第１の実施形態同様、片面導体パターンフィルム１、樹脂フィルム２、加工樹脂フィルム２ｂ（２枚）、放熱板９（２枚）と共に、加工片面導体パターンフィルム１ａが準備され、図２（ａ）に示すように積層される。尚、積層工程より前の製造工程は便宜上省略する。
【００４１】
加工片面導体パターンフィルム１ａは、その長さが、加工樹脂フィルム２ｂと略同等で、樹脂フィルム２の片面に導体パターン３を備え、当該導体パターン３を有底としたビアホール４に導電性ペースト５を備えている。すなわち、加工片面導体パターンフィルム１ａは、樹脂フィルム２ａよりも熱伝導性に優れた金属材料からなる導体パターン３及び導電性ペースト５を、半導体素子７から放熱板９への放熱経路として備えている。尚、本実施の形態において、図２（ａ）に示すように、ビアホール４を４個備えた加工片面導体パターンフィルム１ａの例を示した。しかしながら、加工片面導体パターンフィルム１ａは、少なくとも１個のビアホール４と、それに充填される導電性ペースト５を有していれば良い。そうすれば、加工樹脂フィルム２ａよりも、半導体素子７から放熱板９への放熱性を向上することができる。
【００４２】
そして、積層体に対して、その上下両表面から図示されない加熱プレス機のプレス型を用い、加熱しつつ加圧することにより、図２（ｂ）に示す多層基板１２が形成される。尚、プレス条件は、第１の実施の形態と同様である。
【００４３】
以上、本実施の形態において形成された多層基板１２は、その内部に配置された半導体素子７の非電極形成面と放熱板９との間に、加工片面導体パターンフィルム１ａを備えている。そして、半導体素子７で発生した熱を、非電極形成面に接している導体パターン３、及び導電性ペースト５を介して、放熱板９へ放熱することができる。つまり、加工樹脂フィルム２ａのみを配置していた場合と比較して、半導体素子７により生じた熱を、熱伝導性の良好な導体パターン３および導電性ペースト５からなる放熱経路を介して放熱板９へ伝達することができるため、半導体素子７から放熱板９への放熱性がより向上する。
【００４４】
尚、本実施の形態においては、導体パターン３及び導電性ペースト５の両方を備えた放熱経路の例を示したが、放熱経路としては、導体パターン３と導電性ペースト５の少なくとも一方を備えていれば良い。
【００４５】
尚、本実施の形態において、半導体素子７の非電極形成面と放熱板９との間に、放熱経路を有する加工片面導体パターンフィルム１ａを用いる例を示した。しかしながら、それ以外にも、両面導体パターンや金属材料の埋め込まれた樹脂フィルム等、樹脂フィルム２ａよりも熱伝導性が良く、一括プレスにより多層基板１２の形成が可能であるものであれば、好適に用いることができる。
【００４６】
以上本発明の好ましい実施形態について説明したが、本発明は上述の実施形態のみに限定されず、種々変更して実施する事ができる。
【００４７】
上述の実施の形態において、樹脂フィルムはＰＥＥＫ樹脂６５〜３５％とＰＥＩ樹脂３５〜６５％とからなる熱可塑性樹脂フィルムであったが、ＰＥＥＫ及びＰＥＩを単独で用いることも可能である。更に、ポリエーテルサルフォン（ＰＥＳ）、ポリフェニレンエーテル（ＰＰＥ）、ポリエチレンナフタレート（ＰＥＮ）、液晶ポリマー、シンジオタクチック構造を有するスチレン系樹脂等を単独で用いても良いし、或いはＰＥＥＫ、ＰＥＩを含めそれぞれの内、いずれかを混合して用いても良い。要するに加熱・加圧工程において、樹脂フィルム同士の接着が可能であり、後工程であるはんだ付け等で必要な耐熱性を有する樹脂フィルムであれば好適に用いる事ができる。
【００４８】
また、本実施の形態において、ビアホール内に導電性ペースト充填する印刷法の例を示したが、それ以外にも無電解メッキ、電解メッキ、蒸着法、金属コート等を用いても良い。
【００４９】
また、本実施の形態において、有底のビアホールを形成し、この有底ビアホールに層間接続材料である導電性ペーストを充填したが、ビアホール形成時に貫通穴を形成し、この貫通ビアホールに層間接続材料を充填するものであっても良い。
【００５０】
また、本実施の形態において、樹脂フィルムを含む片面導体パターンフィルムを５枚積層する例を示したが、多層基板内に半導体素子を内蔵し、基板表面に放熱板が配置されていれば、層数が限定されるものではない。
【００５１】
また、本実施の形態において、半導体素子の非電極形成面と放熱板との間に、加工樹脂フィルム、又は、加工片面導体パターンフィルムを配置し、多層基板を形成する例を示した。しかしながら、それ以外にも、半導体素子の非電極形成面に放熱板を隣接させ、多層基板を形成しても良い。
【図面の簡単な説明】
【図１】本発明の第１の実施の形態における多層基板の製造工程を示す工程別断面図である。
【図２】第２の実施の形態における多層基板の製造工程の一部を示す工程別断面図である。
【符号の説明】
１・・・片面導体パターンフィルム、１ａ・・・加工片面導体パターンフィルム、２・・・樹脂フィルム、２ａ・・・加工樹脂フィルム（貫通孔６無し）、２ｂ・・・加工樹脂フィルム（貫通孔６有り）、７・・・半導体素子、８・・・電極、９・・・放熱板、１０・・・多層基板
【図１】
2004158545.tif 000003
【図２】
2004158545.tif 000004